(57)【要約】【課題】  廃ガスに含有される油脂分を下方に滴下させることなく捕獲除去するレンジフードファンを提供する。【解決手段】  フード体１の下方開放部を被蓋する一段奥まった覆板４の平行な二縁または三縁もしくは四縁寄りの部分に幅狭な吸引口６を形成し、その吸引口６から流速を速めて流入する廃ガスＧを、吸引口６直後に設けられた無端状に連設された環状廃ガス衝突手段Ｂに充分接触させ方向変換して排気装置２の吸引力による遠心分離作用で含有する油脂分をその環状廃ガス衝突手段Ｂに付着させ、その環状廃ガス衝突手段Ｂに付着した油脂分をその吸引口６を横断して廃ガス突き当り面５に臨む自由端３７から同廃ガス突き当り面５裏面に落下させて、その油脂分を廃ガス突き当り面５の傾斜を利用してオイル受け部１８に回収する。【選択図】  図１
2005315544.tif 000002
【特許請求の範囲】
【請求項１】
フード体の下方開放部を一段奥まった覆板で被蓋してフード体の下方開放部に廃ガスの捕捉空間を確保し、前記覆板の下流側に排気装置を設けたレンジフードファンにおいて、その覆板の平行な二縁または三縁もしくは四縁寄りの部分に幅狭な吸引口を形成して、その覆板に、上昇する廃ガスが突き当り方向変換して吸引口に吸引させる廃ガス突き当り面を構成し、その吸引口直後に廃ガスを衝突させてその流れを方向変換する廃ガス衝突板を設けると共に各廃ガス衝突板を無端状に連設して環状廃ガス衝突手段を構成し、前記吸引口から流速を速めて流入する廃ガスを前記環状廃ガス衝突手段に衝突させて油脂分をその環状廃ガス衝突手段に付着させ、該環状廃ガス衝突手段にその付着する油脂分を回収する回収手段を連絡していることを特徴とするレンジフードファン。
【請求項２】
フード体の下方開放部を一段奥まった覆板で被蓋してフード体の下方開放部に廃ガスの捕捉空間を確保し、前記覆板の下流側に排気装置を設けたレンジフードファンにおいて、前記覆板を縁または縁寄りの部分から分離させて廃ガス突き当り面を形成し、該廃ガス突き当り面の平行な二縁または三縁もしくは四縁と覆板との間に幅狭な吸引口を確保し、その吸引口の直後に廃ガスを衝突させてその流れを方向変換する廃ガス衝突板を設けると共に各廃ガス衝突板を無端状に連設して環状廃ガス衝突手段を構成し、前記吸引口から流速を速めて流入する廃ガスを前記環状廃ガス衝突手段に衝突させて油脂分をその環状廃ガス衝突手段に付着させ、該環状廃ガス衝突手段にその付着する油脂分を回収する回収手段を連絡していることを特徴とするレンジフードファン。
【請求項３】
前記各廃ガス衝突板は、対応する吸引口の外側の廃ガス突き当り面部分から立上げて前記吸引口真後を横断して前記廃ガス突き当り面裏面に臨む自由端を有する廃ガス衝突面を備え、前記回収手段は、廃ガス突き当り面に設けられた傾斜部と、その傾斜部の傾斜下端に設けられたオイル受け部とを備えて、前記自由端から廃ガス突き当り面裏面に落下する油脂分をオイル受け部に案内することを特徴とする請求項１記載のレンジフードファン。
【請求項４】
前記各廃ガス衝突板は、覆板から立上げて前記吸引口真後を横断して前記廃ガス突き当り面裏面に臨む自由端を有する廃ガス衝突面を備え、前記回収手段は、廃ガス突き当り面に設けられた傾斜部と、その傾斜部の傾斜下端に設けられたオイル受け部とを備えて、前記自由端から廃ガス突き当り面裏面に落下する油脂分をオイル受け部に案内することを特徴とする請求項２記載のレンジフードファン。
【請求項５】
前記自由端は、廃ガス突き当り面裏面側に向けて傾斜状とする前記廃ガス衝突面を廃ガス突き当り面裏面方向に折曲したエッジで形成されていることを特徴とする請求項３または４記載のレンジフードファン。
【請求項６】
前記廃ガス突き当り面を覆板から分離し、該廃ガス突き当り面を覆板に対して着脱可能にしていることを特徴とする請求項３記載のレンジフードファン。
【請求項７】
前記環状廃ガス衝突手段を廃ガス突き当り面に着脱可能にしていることを特徴とする請求項６記載のレンジフードファン。
【請求項８】
前記廃ガス突き当り面を環状廃ガス衝突手段に着脱可能にしていることを特徴とする請求項４記載のレンジフードファン。
【請求項９】
前記環状廃ガス衝突手段を、覆板に着脱可能にしていることを特徴とする請求項８記載のレンジフードファン。
【請求項１０】
前記環状廃ガス衝突手段の各廃ガス衝突面の自由端で囲繞される空間にその環状廃ガス衝突手段と一体または別体にしてグリスフィルタを設けていることを特徴とする請求項５または請求項７または請求項９記載のレンジフードファン。
【請求項１１】
前記各廃ガス衝突板は、前記吸引口真後を横断して前記廃ガス突き当り面裏面方向に傾斜し傾斜端を廃ガス突き当り面裏面に臨ませた廃ガス衝突面を備え、前記回収手段は、廃ガス突き当り面に設けられた傾斜部と、その傾斜部の傾斜下端に設けられたオイル受け部とを備えて、前記廃ガス突き当り面の端部から廃ガス突き当り面裏面に落下する油脂分をオイル受け部に案内することを特徴とする請求項１または２記載のレンジフードファン。
【発明の詳細な説明】
【技術分野】
【０００１】
本発明は調理器具の上方に設置して廃ガスに含有される油脂分を除去して排気するレンジフードファンに関するものである。
【背景技術】
【０００２】
従来、レンジフードは、平型レンジフードファン、ブーツ型レンジフードファン、オープンキッチン用レンジフードファン、アイランド型レンジフードファン等の様々なタイプが存在するが、一般的にグリスフィルタで廃ガスに含有される油脂分を吸着除去するものである。
そして、その先行技術の中には、フード体の下方開放部から一段奥まった位置に覆板を設け、その覆板の三縁または四縁寄りに幅狭な吸引口を形成し、その吸引口にグリスフィルタを配設するレンジフードファンも存在する（例えば特許文献１）
【０００３】
グリスフィルタは、パンチングメタル方式、織布や不織布等の多層状の積層方式、更にはスロットフィルター方式等を挙げることができる。
【０００４】
これらの共通する問題は、共に微細孔の集合体であるため、塵、埃の付着や酸化で油脂分が硬化しての目詰まりである。
この目詰まりは、グリスフィルタの油脂分捕獲性能で異なり、管理が定期的でない目詰まりに付着する油脂分が滴下し、キッチンを汚してしまう。
【０００５】
ところで、前記する先行技術は、加熱調理器具から立ち昇り、上昇に伴って拡散する廃ガスを覆板上流の捕捉空間で捕獲しながら、その覆板の三縁または四縁寄りの部分に設けた吸引力が集中する幅狭なグリスフィルタから効果的に吸引することができる。
【０００６】
しかしながら、グリスフィルタを使用するため前記問題が潜在する。
【特許文献１】特開平１１−２１１１７４号
【発明の開示】
【発明が解決しようとする課題】
【０００７】
本発明は上記従来事情に鑑みてなされたもので、その目的とする処は、廃ガスに含有される油脂分を下方に滴下させることなく捕獲除去するレンジフードファンを提供することにある。
【課題を解決するための手段】
【０００８】
本発明者等は、グリスフィルタを使用せずに廃ガスに含有される油脂分を除去するに際して、鋭意研究を重ねた結果、フード体の下方開放部に廃ガス捕捉空間を確保すべく設けられた覆板において、上昇する廃ガスが突き当る廃ガス突き当り面の縁に設けた幅狭な吸引口とその直後に設けた環状廃ガス衝突手段と回収手段とで、油脂分を滴下させずに捕捉効果が達成できることを知見し、本発明に至ったものである。
即ち、本発明は、フード体の下方開放部を一段奥まった覆板で被蓋してフード体の下方開放部に廃ガスの捕捉空間を確保し、前記覆板の下流側に排気装置を設けたレンジフードファンにおいて、その覆板の平行な二縁または三縁もしくは四縁寄りの部分に幅狭な吸引口を形成して、その覆板に、上昇する廃ガスが突き当り方向変換して吸引口に吸引させる廃ガス突き当り面を構成し、その吸引口直後に廃ガスを衝突させてその流れを方向変換する廃ガス衝突板を設けると共に各廃ガス衝突板を無端状に連設して環状廃ガス衝突手段を構成し、前記吸引口から流速を速めて流入する廃ガスを前記環状廃ガス衝突手段に衝突させて油脂分をその環状廃ガス衝突手段に付着させ、該環状廃ガス衝突手段にその付着する油脂分を回収する回収手段を連絡していることを特徴とするレンジフードファンである（請求項１）。
また、フード体の下方開放部を一段奥まった覆板で被蓋してフード体の下方開放部に廃ガスの捕捉空間を確保し、前記覆板の下流側に排気装置を設けたレンジフードファンにおいて、前記覆板を縁または縁寄りの部分から分離させて廃ガス突き当り面を形成し、該廃ガス突き当り面の平行な二縁または三縁もしくは四縁と覆板との間に幅狭な吸引口を確保し、その吸引口の直後に廃ガスを衝突させてその流れを方向変換する廃ガス衝突板を設けると共に各廃ガス衝突板を無端状に連設して環状廃ガス衝突手段を構成し、前記吸引口から流速を速めて流入する廃ガスを前記環状廃ガス衝突手段に衝突させて油脂分をその環状廃ガス衝突手段に付着させ、該環状廃ガス衝突手段にその付着する油脂分を回収する回収手段を連絡していることを特徴とするレンジフードファンであっても良いものである（請求項２）。
前記請求項１は、上昇する廃ガスが突き当る廃ガス突き当り面に吸引口を開口したレンジフードファン。また請求項２は、上昇する廃ガスが突き当る廃ガス突き当り面を覆板から分離して、その廃ガス突き当り面と覆板との間に幅狭な吸引口を確保したレンジフードファンである。
また、前記環状ガス衝突手段は、複数の廃ガス衝突板を一体に成型したプレス成型品が好適なものである。
【０００９】
以上の手段によれば、加熱調理器具から発生する廃ガスは上昇して覆板の底部（廃ガス突き当り面）に突き当り、その廃ガス突き当り面で方向変換されて複数の幅狭な吸引口から流速を速めて吸引される。その廃ガスを、吸引口直後の無端状に連設された環状廃ガス衝突手段に接触させ方向変換して排気装置の吸引力による遠心分離作用で含有する油脂分をその環状廃ガス衝突手段に付着させ、その環状廃ガス衝突手段に付着した油脂分を回収手段で回収する。
また、前記各廃ガス衝突板を環状に連設させて長手側端部が遊端にならない形態にして、廃ガスの廃ガス衝突板の長手側遊端からの洩れを阻止して廃ガス衝突板と充分接触させて油脂分の捕獲効率を向上させる。
【００１０】
また、前記各廃ガス衝突板は、対応する吸引口の外側の廃ガス突き当り面部分から立上げて前記吸引口真後を横断して前記廃ガス突き当り面裏面に臨む自由端を有する廃ガス衝突面を備え、前記回収手段は、廃ガス突き当り面に設けられた傾斜部と、その傾斜部の傾斜下端に設けられたオイル受け部とを備えて、前記自由端から廃ガス突き当り面裏面に落下する油脂分をオイル受け部に案内するようにしたり（請求項３）、前記各廃ガス衝突板は、覆板から立上げて前記吸引口真後を横断して前記廃ガス突き当り面裏面に臨む自由端を有する廃ガス衝突面を備え、前記回収手段は、廃ガス突き当り面に設けられた傾斜部と、その傾斜部の傾斜下端に設けられたオイル受け部とを備えて、前記自由端から廃ガス突き当り面裏面に落下する油脂分をオイル受け部に案内するようにすると好適なものである（請求項４）。
ここで、前記傾斜部は、廃ガス突き当り面を傾斜状にして構成しても良いものであるし、廃ガス突き当り面の裏面部に傾斜状のオイル案内ラインを形成して構成しても良いものである。
【００１１】
以上の手段によれば、廃ガス衝突板に付着する油脂分を自由端から廃ガス突き当り面の裏面部に落下させ、傾斜部で同下端のオイル受け部へと速やかに導く。
廃ガスは、自由端と廃ガス突き当り面の裏面部との隙間から排気装置に吸込む。
【００１２】
そして、その自由端は、廃ガス突き当り面裏面側に向けて傾斜状とする前記廃ガス衝突面を廃ガス突き当り面裏面方向に折曲したエッジで形成されていると、最適なものである（請求項５）。
【００１３】
以上の手段によれば、廃ガス突き当り面裏面側に向けて傾斜する廃ガス衝突面の案内作用で付着する油脂分の落下を促進させ、その廃ガス衝突面に連続する廃ガス突き当り面裏面方向に折曲した自由端（エッジ）による方向変換作用で、油脂分の捕獲効率をアップさせる。
【００１４】
そして、廃ガス突き当り面を覆板から分離し、該廃ガス突き当り面を覆板に対して着脱可能にしたり（請求項６）、環状廃ガス衝突手段を廃ガス突き当り面に着脱可能にしている（請求項７）と、清掃上好適なものである。
また、廃ガス突き当り面を環状廃ガス衝突手段に着脱可能にしたり（請求項８）、環状廃ガス衝突手段を、覆板に着脱可能にしている（請求項９）場合も清掃上、好都合である。
【００１５】
そして、環状廃ガス衝突手段の各廃ガス衝突面の自由端で囲繞される空間にその環状廃ガス衝突手段と一体または別体にしてグリスフィルタを設けていると、更に最適なものになる（請求項１０）。
【００１６】
以上の手段によれば、環状廃ガス衝突手段の各廃ガス衝突面で油脂分を除去された廃ガスが下流のグリスフィルタを通過する時に更に残留する油脂分が吸着除去される。
また、前記各各廃ガス衝突板は、前記吸引口真後を横断して前記廃ガス突き当り面裏面方向に傾斜し傾斜端を廃ガス突き当り面裏面に臨ませた廃ガス衝突面を備え、前記回収手段は、廃ガス突き当り面に設けられた傾斜部と、その傾斜部の傾斜下端に設けられたオイル受け部とを備えて、前記廃ガス突き当り面の端部から廃ガス突き当り面裏面に落下する油脂分をオイル受け部に案内するようにしても良いものである（請求項１１）
【発明の効果】
【００１７】
本発明は以上のように構成したから下記の利点がある。
（請求項１）吸引用空間から流速を速めて吸引される廃ガスが、直後の廃ガス衝突板に接触し方向変換して排気手段の吸引力による遠心分離作用で含有する油脂分をその廃ガス衝突板に付着させ、その付着した油脂分を回収手段で回収するレンジフードファンであるから、従来のレンジフードファンのようにグリスフィルタの目詰まりによる油脂分の滴下を防止できる。
しかも、その廃ガス衝突板を、環状に連設して長手側端部が遊端として存在しない形態にしているから、各廃ガス衝突板のその遊端からの廃ガスの洩れを阻止して廃ガス衝突板と充分接触させて油脂分の捕獲効率を向上させることができる。
また、前記環状廃ガス衝突手段が、複数の廃ガス衝突板を一体に成型したプレス成型品であると、廃ガス衝突板を各々溶接等の接続手段で別途接続する必要がなく、成形簡単で、廉価に寄与することができる。
しかも、幅狭な吸引口（孔）が視野に入るだけであり、グリスフィルタ露呈によるデザイン性の低下を防止できるばかりでなく、そのグリスフィルタを前方から視認不能に塞ぐ化粧板等を用いる必要もなく、廉価に提供できる。
その上、各廃ガス衝突板を適宜好みのカラーリングをしておくことによって、調理時にそのカラーリングが視野に入り、デザイン性を向上することができる。
【００１８】
（請求項３、４、１１）
また、各廃ガス衝突板に捕獲された油脂分を、各廃ガス衝突面からその衝突板が臨む面である廃ガス突き当り面を利用してオイル受け部に導くので、油脂分の粘性で停滞せず、回収がスピーディーである。
そして、請求項１１においては廃ガス突き当り面を廃ガス突き当り面裏面方向に傾斜させているので、その付着油脂分を廃ガス衝突面から廃ガス突き当り面に素早くガイドされ、回収効率の向上に貢献できる。
【００１９】
（請求項５）
その上、廃ガス衝突板の廃ガス突き当り面部裏面側に向けての傾斜に乗って付着油脂分の流れが促進されるので、油脂分が硬化する虞れを無くし、しかも廃ガス突き当り面裏面方向に折曲したエッジによる更なる方向変換作用及び油落下促進作用で、油脂分の捕獲効率、回収効率を高めることができる。
【００２０】
（請求項６〜９）
また、廃ガス突き当り面、環状廃ガス衝突手段が着脱可能である。そのため、清掃箇所に制約を受けずにキッチンシンク等の手軽で小形な容体や洗浄装置を使用して水洗いでき、主に油脂分が付着する廃ガス突き当り面、環状廃ガス衝突手段の清掃が簡単に行なえる。
【００２１】
（請求項１０）
その上、環状廃ガス衝突手段の各廃ガス衝突面の自由端で囲繞される空間にグリスフィルタを一体または別体にグリスフィルタを設けているので、環状廃ガス衝突手段で捕獲できなかった油脂分をグリスフィルタで吸着除去して、廃ガスに含有される油脂分を再捕獲するから、油脂分の捕獲効率が更に向上する。
無論、そのグリスフィルタは環状廃ガス衝突手段と一体成形されていると、成形簡単で低コストに寄与し、また環状廃ガス衝突手段と共に一度に洗浄できるし、取付も容易であり、環状廃ガス衝突手段に対して別体（着脱可能）の場合には、取外して清浄が行なえる。
そして、そのグリスフィルタに吸着除去された油脂分が滴下しても、廃ガス突き当り面に滴下して、その傾斜下端設けられているオイル受け部に案内可能であるから、室内に滴下する心配が全くない。
【発明を実施するための最良の形態】
【００２２】
次に、本発明レンジフードファンの実施の形態を図面に基づいて説明すると、図１〜図４はその第１の実施の形態を、図５及び図６は同第２の実施の形態を示している。まず、第１の実施の形態を説明する。
【実施例１】
【００２３】
レンジフードファンＡは、図１に示すように下面を開放した扁平薄箱状のフード体１の天板部１１に排気装置２を設置し、その排気装置２を前方から立設された幕板３で隠し、下方開放部を、一段奥まった底部を有する凹状の覆板４で被蓋して、覆板４の下方を加熱調理器具から発生する廃ガスＧの捕捉空間Ｓとしている。
【００２４】
また、レンジフードファンＡは、その覆板４のその後縁をフード体１の背板部２１下端に回動可能に引っ掛け、覆板４の平行な二縁または三縁もしくは四縁寄りに幅狭な吸引口６を開口して、その覆板４に、上昇する廃ガスＧが突き当り、方向変換して吸引口６に吸引させる廃ガス突き当り面５を構成し、その吸引口６…を開口した廃ガス突き当り面５に、フード体１内に設けた下向きに拡開した吸気チャンバー３１の下端開放部を臨ませ、同チャンバー３１の上端開放部を前記排気装置２に連通させてある。
【００２５】
前記吸引口６は、長孔状を呈し、図２に示すように廃ガス突き当り面５の各縁寄りにその縁に沿って略同等長さをもって形成されている。
尚、この吸引口６は、廃ガス突き当り面５の各縁に沿う直線上を間隔をおいて複数個形成しても良いものである。
【００２６】
また、前記レンジフードファンＡには、図１等に示すように各吸引口６の直後に各廃ガス衝突板７が設けられ、廃ガス突き当り面５自身を後方傾斜状にして油脂分を方向に案内する傾斜部（図示せず）と、その廃ガス突き当り面５の傾斜下端に配設したオイル受け部１８とで、回収手段８としている。
前記オイル受け部１８は、図２に示すように前記吸気チャンバー３１に臨まない覆板４の底部にガイドレール等の摺動手段Ｃで抜差し可能に支持されている。
【００２７】
前記廃ガス突き当り面５は、図示するように扁平な受け皿状を呈してなり、覆板４と分離され、吸引口６の口縁にフランジ１６を上方に突設成形している。
また、廃ガス突き当り面５は、その傾斜下端に前記オイル受け部１８に臨んでオイル落下口１５を開口している。
【００２８】
前記各廃ガス衝突板７は、図３、図４に示すように各吸引口６の外側の廃ガス突き当り面５部分から立ち上がる立上げ部１７に連続する廃ガス衝突面２７が各吸引口６直後を横断して廃ガス突き当り面５裏面側に傾斜状とされ、その傾斜する自由端３７を廃ガス突き当り面５裏面方向に折曲したエッジで形成し、無論そのエッジからなる自由端３７は廃ガス突き当り面５裏面に臨ませてある。
そして、この各廃ガス衝突板７は、各長手側端部を隣設する廃ガス衝突板７の長手側端部を無端状に連設して環状廃ガス衝突手段Ｂを構成している。
【００２９】
従って、上昇する廃ガスＧは廃ガス突き当り面５に突き当り、方向変換し流速を速めて各吸引口６に流入して、廃ガス衝突面２７に衝突する際、各廃ガス衝突板７が無端状のため、廃ガス衝突板７が長手側の端部に遊端で形成している場合のようにその遊端から洩気することなく、充分廃ガス衝突面２７に接触し方向変換して排気装置２の吸引力による遠心分離作用で含有される油脂分を付着させ、付着した油脂分を廃ガス突き当り面５の裏面部方向に傾斜状になっている廃ガス衝突面２７のその案内作用で停滞させず、また吸引口６から落下させることもなく案内し、それに連続して廃ガス突き当り面５裏面方向に大きく（急激に）折曲した自由端３７から付着除去された廃ガス突き当り面５の裏面に落下させ、その油脂分をオイル落下口１５に導き、オイル受け部１８に排出し、回収する。
廃ガスＧは、自由端３７と廃ガス突き当り面５裏面との隙間から排気装置２に吸込排気される。
【００３０】
前記廃ガス突き当り面５と環状廃ガス衝突手段Ｂは、図４に示すように着脱可能になっている。
その取付手段９は、覆板４の開放左右縁から逆Ｌ型状に起立させた取付条片１９のその水平部１９ａの前後箇所にねじ孔１９ｂを開孔する一方、その水平片１９ａに対応する廃ガス突き当り面５両端の前後箇所と、環状廃ガス衝突手段Ｂの立上げ部１７基端の前後箇所各々とに通孔２９を開孔し、下方からその両通孔２９を挿通する止めネジ１００を前記ねじ孔１９ｂに螺嵌して構成されており、その止めネジ１００をねじ孔１９ｂから外すことで、廃ガス突き当り面５が覆板４から外れ、またその廃ガス突き当り面５から環状廃ガス衝突手段Ｂから抜取れるようになっている。
【００３１】
また、前記環状廃ガス衝突手段Ｂの各廃ガス衝突面２７の自由端３７で囲繞される空間には、その環状廃ガス衝突手段Ｂと一体または別体にグリスフィルタＦが設けられている。
【００３２】
前記グリスフィルタＦは図３に示すように等間隔をおいて切入されたスリット間を斜め状に起曲して、油脂分の捕獲面としたカットベンド方式のフィルタや、図示しないがパンチング方式のグリスフィルタ等、今日周知の構成態様のものであり、別体の場合には、グリスフィルタ縁に前記環状廃ガス衝突手段Ｂの自由端３７との係脱部（図示せず）を形成して、その環状廃ガス衝突手段Ｂに対して着脱可能になっている。
尚、符号Ｌは照明である。
【００３３】
以上のように構成されているレンジフードファンＡは、環状廃ガス衝突手段Ｂの各廃ガス衝突面２７で油脂分が付着除去された後、そのグリスフィルタＦで油脂分が更に吸着除去されて、排気装置２の排気能力で屋外に排気される。
そして、グリスフィルタＦから油脂分が滴下した場合にも環状廃ガス衝突手段Ｂの各廃ガス衝突面２７に付着除去された油脂分と同様に廃ガス突き当り面５裏面に落下し、オイル受け部１８に導かれる。
また、そのオイル受け部１８を抜取り、覆板４を下向きに回動して、廃ガス突き当り面５、環状廃ガス衝突手段Ｂを外すことで、付着する油脂分を水洗いすることができる。
無論、覆板４をいじらずとも廃ガス突き当り面５、環状廃ガス衝突手段Ｂは取外すことができる。
【実施例２】
【００３４】
次に図５、図６に示す第２の実施の形態について説明すると、この実施の形態は、覆板４を縁または縁寄りの部分から分離させて廃ガス突き当り面５を形成して、その廃ガス突き当り面５の平行な二縁または三縁もしくは四縁と覆板４底部との間に幅狭な吸引口６を確保し、その吸引口６真後に前記する環状廃ガス衝突手段Ｂを配設したレンジフードファンＡ’である。
【００３５】
前記環状廃ガス衝突手段Ｂは、図６に示すように覆板４の開放左右縁から逆Ｌ型状に起立させた取付条片１９の水平部１９ａの前後箇所に開孔したねじ孔１９ｂに前記立上げ部１７基端に開孔した通孔２９を挿通する止めネジ１００を螺嵌して、前記する第１の実施の形態と同様に取外し可能とされている。
【００３６】
そして、覆板４から分離された廃ガス突き当り面５は、同図６に示すようにグリスフィルタＦまたは環状廃ガス衝突手段Ｂを構成している廃ガス衝突板７の左右位置前後箇所からネジ溝１０ａを開講した支持脚１０を垂設し、廃ガス突き当り面５に開講した取付孔２５を挿通する止めネジ１００をそのネジ溝１０ａに螺嵌して環状廃ガス衝突手段Ｂに対して取外し可能とされている。
【００３７】
前記環状廃ガス衝突手段Ｂの各廃ガス衝突面２７は、覆板４から立ち上がる立上げ部１７に連続する各吸引口６直後を横断して廃ガス突き当り面５裏面側に向けて傾斜状となっており、その傾斜する自由端３７を廃ガス突き当り面５裏面方向に折曲したエッジで形成して同廃ガス突き当り面５裏面に臨ませてあること前記する第１の実施の形態と同様である。
他の構成、作用等は前記する第１の実施の形態と同様であるため、具体的説明は省略する。
【００３８】
本発明は、自由端３７で囲繞される空間をオープンとするレンジフードファンをも対象とすること言うまでもないものである。
【００３９】
また、本発明は、吸気チャンバーがないレンジフードファンも本発明は包含するものである。この場合には、覆板底部ほぼ全域を廃ガス突き当り面として、その廃ガス突き当り面に平行縁や三縁もしくは四縁に接近して前記吸引口を開口して、その吸引口から排気装置の吸気能力で廃ガスを吸引するのが好適なものである。
更に、本発明は、フード体側に各吸引口真後を横断する廃ガス衝突板を設け、その廃ガス衝突板は廃ガス突き当り面裏面方向に傾斜する傾斜状の廃ガス衝突面を有し、その傾斜下端部を廃ガス突き当り面裏面に臨ませた構成のレンジフードファンも包含するものである。
【図面の簡単な説明】
【００４０】
【図１】第１の実施の形態の側面断面図で一部切欠して示す。
【図２】底面図。
【図３】要部の部分拡大断面図。
【図４】図２の（４）−（４）線拡大断面図。
【図５】第２の実施の形態の側面断面図で、要部のみを示す。
【図６】図５の（６）−（６）線拡大断面図で、廃ガス突き当り面、環状廃ガス衝突手段の取付部分を示す。
【符号の説明】
【００４１】
Ａ、Ａ’：レンジフードファン        ４：覆板
Ｓ：捕捉空間                  ２：排気装置
６：吸引口                    ５：廃ガス突き当り面
７：廃ガス衝突板              Ｂ：環状廃ガス衝突手段
１８：オイル受け部            ２７：廃ガス衝突面
Ｆ：グリスフィルタ            Ｇ：廃ガス
３７：自由端（エッジ）        １７：立上げ部
８：回収手段                  １：フード体
【図１】
2005315544.tif 000003
【図２】
2005315544.tif 000004
【図３】
2005315544.tif 000005
【図４】
2005315544.tif 000006
【図５】
2005315544.tif 000007
【図６】
2005315544.tif 000008